【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
紙および紙製品の製造に使用されるロールに使用するロールカバーを製造するための方法であって、
ａ）前記ロールカバーが形成される表面を提供するステップと、
ｂ）滴の所定のパターンにロールカバーを形成するために置かれた前記材料のｘ、ｙ、ｚ寸法を制御するように、制御されたやり方で前記表面にポリマー樹脂材料を置くステップと、
ｃ）前記ポリマー樹脂材料を少なくとも部分的に固化させるステップと、
を含む方法。
【請求項２】
前記ロールは外側円周表面を有し、前記外側表面は、その上に前記ポリマー樹脂材料が置かれる、請求項１に記載の方法。
【請求項３】
前記表面は基部基板を具備する、請求項１に記載の方法。
【請求項４】
前記ポリマー樹脂材料に、均一な厚さおよび滑らかで肉眼的に単一平面的な表面を提供するように、制御されたやり方で前記表面に前記ポリマー樹脂材料を置くステップをさらに含む、請求項１、２または３に記載の方法。
【請求項５】
前記ポリマー樹脂材料に、クラウン状ロールカバーを形成するように前記ロールカバーの中心がもっとも厚く徐々にテーパして前記中心から離れる不均一な厚さを提供するように、制御されたやり方で前記表面に前記ポリマー樹脂を置くステップをさらに含む、請求項１、２または３に記載の方法。
【請求項６】
ステップｂ）において、前記所定のパターンは、所定のアレイに述べられた複数の別々の場所を具備する、請求項１に記載の方法。
【請求項７】
ステップｂ）において、前記所定のパターンは、所定のアレイに複数の別々の開放区域を規定する連続ネットワークを具備する、請求項１に記載の方法。
【請求項８】
ステップｂ）において、前記所定のパターンは半連続ネットワークを具備する、請求項１に記載の方法。
【請求項９】
ステップｂ）において、前記ポリマー樹脂材料は、前記基部基板内に浸透する、請求項３に記載の方法。
【請求項１０】
ステップｂ）において、前記ポリマー樹脂材料は、前記基部基板上に所望の厚さの均一なまたはランダムなパターン層を形成する、請求項３に記載の方法。
【請求項１１】
ステップｂ）において、前記ポリマー樹脂材料は、コンピュータ制御されるピエゾジェットノズル手段によって置かれる、請求項１、２または３に記載の方法。
【請求項１２】
前記ピエゾジェットノズル手段は、アレイに複数のピエゾジェットノズルを含み、その各々は個別にコンピュータ制御される、請求項１１に記載の方法。
【請求項１３】
前記ポリマー樹脂材料は、
１．ホットメルトおよび湿分硬化ホットメルト、
２．ウレタンおよびエポキシに基づいた二液反応型システム、
３．ウレタン、ポリエステル、ポリエーテルおよびシリコーンから派生した反応性アクリレートモノマーおよびアクリレートオリゴマーからなる感光性重合体組成物、および、
４．水系ラテックスおよび分散、および、アクリルおよびポリウレタンを含む粒子充填製剤、
からなる群から選択される、請求項１に記載の方法。
【請求項１４】
第１のポリマー樹脂材料が置かれ、前記第１のポリマー樹脂材料とは異なる第２のポリマー樹脂材料も置かれる、請求項１１に記載の方法。
【請求項１５】
前記ポリマー樹脂材料は、単一平面的な表面を有する不均一に厚い層に置かれる、請求項１０に記載の方法。
【請求項１６】
前記ポリマー樹脂材料は、三次元構造物を備えた表面を有する、不均一に厚い層に置かれる請求項１０に記載の方法。
【請求項１７】
前記ロールカバーの製造を促進するためにバルクジェットで前記所定のパターンに前記基部基板にポリマー樹脂材料を置くステップをさらに含む、請求項３に記載の方法。
【請求項１８】
前記置くステップは、請求項１のステップｂ）の前に行われる、請求項１７に記載の方法。
【請求項１９】
前記置くステップは、請求項１のステップｂ）と同時に行われる、請求項１７に記載の方法。
【請求項２０】
前記基部基板は、モノフィラメント、諸撚モノフィラメント、マルチフィラメント、諸撚マルチフィラメント、および、ステープルファイバを含むヤーンを含む織られた、不織の、および、編まれたファブリックからなる群から選択される、請求項３に記載の方法。
【請求項２１】
前記滴は、１０μ（１０ミクロン）かまたはそれ以上の平均直径を有する、請求項１に記載の方法。
【請求項２２】
紙および紙製品の製造に使用されるロールに使用するロールカバーを製造するための方法であって、
ａ）前記ロールカバーが形成される表面を提供するステップと、
ｂ）滴の所定のパターンを形成するために置かれた前記材料のｘ、ｙ、ｚ寸法を制御するように、制御されたやり方で前記表面に犠牲材料を置くステップと、
ｃ）前記犠牲材料を有する前記表面にポリマー樹脂材料を置いて、前記犠牲材料を有さない区域を充填するステップと、
ｄ）前記ポリマー樹脂材料を少なくとも部分的に固化させるステップと、
ｅ）前記表面から前記犠牲材料を除去するステップと、
を含む方法。
【請求項２３】
前記ロールは外側円周表面を有し、前記外側表面は、その上に前記ポリマー樹脂材料が置かれる、請求項２２に記載の方法。
【請求項２４】
前記表面は基部基板を具備する、請求項２２に記載の方法。
【請求項２５】
前記ポリマー樹脂材料に、均一な厚さおよび滑らかで肉眼的に単一平面的な表面を提供するように、制御されたやり方で前記表面に前記ポリマー樹脂材料を置くステップをさらに含む、請求項２２、２３または２４に記載の方法。
【請求項２６】
前記ポリマー樹脂材料に、クラウン状ロールカバーを形成するように前記ロールカバーの中心がもっとも厚く徐々にテーパして前記中心から離れる不均一な厚さを提供するように、制御されたやり方で前記表面に前記ポリマー樹脂を置くステップをさらに含む、請求項２２、２３または２４に記載の方法。
【請求項２７】
ステップｂ）において、前記所定のパターンは、所定のアレイに述べられた複数の別々の場所を具備する、請求項２２に記載の方法。
【請求項２８】
ステップｂ）において、前記所定のパターンは、所定のアレイに複数の別々の開放区域を規定する連続ネットワークを具備する、請求項２２に記載の方法。
【請求項２９】
ステップｂ）において、前記所定のパターンは半連続ネットワークを具備する、請求項２２に記載の方法。
【請求項３０】
ステップｂ）において、前記犠牲材料は、前記基部基板内に浸透する、請求項２４に記載の方法。
【請求項３１】
ステップｂ）において、前記犠牲材料は、前記基部基板上に所望の厚さの均一なまたはランダムなパターン層を形成する、請求項２４に記載の方法。
【請求項３２】
ステップｂ）において、前記犠牲材料は、コンピュータ制御されるピエゾジェットノズル手段によって置かれる、請求項２２に記載の方法。
【請求項３３】
前記ピエゾジェットノズル手段は、アレイに複数のピエゾジェットノズルを含み、その各々は個別にコンピュータ制御される、請求項３２に記載の方法。
【請求項３４】
前記犠牲材料は、加熱によって除去可能なワックスである、請求項２２に記載の方法。
【請求項３５】
前記犠牲材料は、溶剤除去可能な材料である、請求項２２に記載の方法。
【請求項３６】
ステップｃ）において、前記ポリマー樹脂材料は、前記表面上に所望の厚さの層を形成する、請求項２２に記載の方法。
【請求項３７】
前記ポリマー樹脂材料は、
１．ホットメルトおよび湿分硬化ホットメルト、
２．ウレタンおよびエポキシに基づいた二液反応型システム、
３．ウレタン、ポリエステル、ポリエーテルおよびシリコーンから派生した反応性アクリレートモノマーおよびアクリレートオリゴマーからなる感光性重合体組成物、および、
４．水系ラテックスおよび分散、および、アクリルおよびポリウレタンを含む粒子充填製剤、
からなる群から選択される、請求項２２に記載の方法。
【請求項３８】
前記除去ステップは、加熱によって実行される、請求項３４に記載の方法。
【請求項３９】
前記除去ステップは、適切な溶剤の作用によって実行される、請求項３５に記載の方法。
【請求項４０】
ステップｃ）において、前記ポリマー樹脂材料は、バルクジェットアレイによって前記表面に置かれる、請求項２２に記載の方法。
【請求項４１】
ステップｃ）において、前記ポリマー樹脂材料は、ピエゾジェットアレイで前記表面に置かれ、それによって前記ポリマー樹脂材料は、１０μ（１０ミクロン）かまたはそれ以上の平均直径を有する滴に置かれる、請求項２２に記載の方法。
【請求項４２】
ステップｃ）において、前記ポリマー樹脂材料は、溶射することによって置かれる、請求項２２に記載の方法。
【請求項４３】
ステップｃ）において、前記ポリマー樹脂材料は、ブレード塗布またはドクター塗布によって前記表面に置かれる、請求項２２に記載の方法。
【請求項４４】
第１のポリマー樹脂材料が置かれ、前記第１のポリマー樹脂材料とは異なる第２のポリマー樹脂材料も置かれる、請求項３３に記載の方法。
【請求項４５】
前記ポリマー樹脂材料は、単一平面的な表面を有する不均一に厚い層に置かれる、請求項４１に記載の方法。
【請求項４６】
前記ポリマー樹脂材料は、三次元構造物を備えた表面を有する不均一に厚い層に置かれる、請求項４１に記載の方法。
【請求項４７】
前記基部基板は、モノフィラメント、諸撚モノフィラメント、マルチフィラメント、諸撚マルチフィラメント、および、ステープルファイバを含むヤーンを含む織られた、不織の、および、編まれたファブリックからなる群から選択される、請求項２４に記載の方法。
【請求項４８】
前記犠牲材料は、糖、塩、ポリビニルアルコール、グリコール、および、多糖類、有機溶剤およびその中に溶解する材料からなる群から選択される、請求項２２に記載の方法。
【請求項４９】
前記滴は、１０μ（１０ミクロン）かまたはそれ以上の平均直径を有する、請求項２２に記載の方法。
【請求項５０】
紙および紙製品の製造に使用されるロールに使用するためのロールカバーであって、
ａ）前記ロールカバーが形成される表面を提供するステップと、
ｂ）滴の所定のパターンを形成するために置かれた前記材料のｘ、ｙ、ｚ寸法を制御するように、制御されたやり方で前記表面にポリマー樹脂材料を置くステップと、
ｃ）前記ポリマー樹脂材料を少なくとも部分的に固化させるステップと、
を含むやり方で作られるロールカバー。
【請求項５１】
前記表面は基部基板を具備する、請求項５０に記載のロールカバー。
【請求項５２】
前記ポリマー樹脂材料に、均一な厚さおよび滑らかで肉眼的に単一平面的な表面を提供するように、制御されたやり方で前記表面に前記ポリマー樹脂材料を置くステップをさらに含む、請求項５０に記載のロールカバー。
【請求項５３】
前記ポリマー樹脂材料に、クラウン状ロールカバーを形成するように前記ロールカバーの中心がもっとも厚く徐々にテーパして前記中心から離れる不均一な厚さを提供するように、制御されたやり方で前記表面に前記ポリマー樹脂を置くステップをさらに含む、請求項５０に記載のロールカバー。
【請求項５４】
ステップｂ）において、前記ポリマー樹脂材料は、コンピュータ制御されるピエゾジェットノズル手段によって置かれる、請求項５０に記載のロールカバー。
【請求項５５】
前記ピエゾジェットノズル手段は、アレイに複数のピエゾジェットノズルを含み、その各々は個別にコンピュータ制御される、請求項５４に記載のロールカバー。
【請求項５６】
前記基部基板は、モノフィラメント、諸撚モノフィラメント、マルチフィラメント、諸撚マルチフィラメント、および、ステープルファイバを含むヤーンを含む織られた、不織の、および、編まれたファブリックからなる群から選択される、請求項５１に記載のロールカバー。
【請求項５７】
第１のポリマー樹脂材料が置かれ、前記第１のポリマー樹脂材料とは異なる第２のポリマー樹脂材料が置かれる、請求項５０に記載のロールカバー。
【請求項５８】
前記滴は、１０μ（１０ミクロン）かまたはそれ以上の平均直径を有する、請求項５０に記載のロールカバー。
【請求項５９】
紙および紙製品の製造に使用されるロールに使用するためのロールカバーであって、
ａ）前記カバーが形成される表面を提供するステップと、
ｂ）滴の所定のパターンを形成するために置かれた前記材料のｘ、ｙ、ｚ寸法を制御するように、制御されたやり方で前記表面に犠牲材料を置くステップと、
ｃ）前記犠牲材料を有する前記表面にポリマー樹脂材料を置いて、前記犠牲材料を有さない区域を充填するステップと、
ｄ）前記ポリマー樹脂材料を少なくとも部分的に固化させるステップと、
ｅ）前記表面から前記犠牲材料を除去するステップと、
を含む、やり方で作られるロールカバー。
【請求項６０】
前記表面は基部基板を具備する、請求項５９に記載のロールカバー。
【請求項６１】
前記ポリマー樹脂材料に、均一な厚さおよび滑らかで肉眼的に単一平面的な表面を提供するように、制御されたやり方で前記表面に前記ポリマー樹脂材料を置くステップをさらに含む、請求項５９に記載のロールカバー。
【請求項６２】
前記ポリマー樹脂材料に、クラウン状ロールカバーを形成するように前記ロールカバーの中心がもっとも厚く徐々にテーパして前記中心から離れる不均一な厚さを提供するように、制御されたやり方で前記表面に前記ポリマー樹脂を置くステップをさらに含む、請求項５９に記載のロールカバー。
【請求項６３】
ステップｂ）において、前記犠牲材料は、前記基部基板内に浸透する、請求項６０に記載のロールカバー。
【請求項６４】
ステップｂ）において、前記犠牲材料は、前記基部基板上に所望の厚さの層を形成する、請求項６０に記載のロールカバー。
【請求項６５】
ステップｂ）において、前記犠牲材料は、コンピュータ制御されるピエゾジェットノズル手段によって置かれる、請求項５９に記載のロールカバー。
【請求項６６】
前記ピエゾジェットノズル手段は、アレイに複数のピエゾジェットノズルを含み、その各々は個別にコンピュータ制御される、請求項６５に記載のロールカバー。
【請求項６７】
前記基部基板は、モノフィラメント、諸撚モノフィラメント、マルチフィラメント、諸撚マルチフィラメント、および、ステープルファイバを含むヤーンを含む織られた、不織の、および、編まれたファブリックからなる群から選択される、請求項６０に記載のロールカバー。
【請求項６８】
前記滴は、１０μ（１０ミクロン）かまたはそれ以上の平均直径を有する、請求項５９に記載のロールカバー。